(57)【要約】【課題】棚板を、その前部に陳列物を載置しても、棚板の後部が持ち上がることがないように、安定よく、しかも簡単に支持しうるようにした商品陳列棚を提供する。【解決手段】後面１ａと左右両側面１ｂとに、複数の横桟５を上下多段状に配設したフレーム１と、水平板状の棚板本体６の両側端に、フレーム１の両側面１ｂにおける互いに等高の横桟５に係止しうる下向き鉤形の係止片７を有し、かつ棚板本体６の後端に、側面視上向き鉤形をなし、フレーム１の後面１ａにおけるいずれかの横桟５に係合することにより、棚板本体６の後部の上方への移動を阻止する係合片８を有する棚板２とを備えるものとする。【選択図】      図２
2008279158.tif 000002
【特許請求の範囲】
【請求項１】
後面と左右両側面とに亘って、複数の横桟を上下多段状に配設したフレームと、
水平板状の棚板本体の両側端に、前記フレームの両側面における互いに等高の横桟に係止しうる下向き鉤形の係止片を有し、かつ前記棚板本体の後端に、側面視上向き鉤形をなし、前記フレームの後面におけるいずれかの横桟に係合することにより、前記棚板本体の後部の上方への移動を阻止する係合片を有する適数の棚板
とを備えることを特徴とする商品陳列棚。
【請求項２】
棚板本体の前部に、フレームの両側面の前端より前方に突出する前方突出部を設けた請求項１記載の商品陳列棚。
【請求項３】
前方突出部を、中央部が前方に突出する平面視円弧状のものとした請求項２記載の商品陳列棚。
【請求項４】
棚板本体の前端部下面に補強材を固着し、この補強材の前面に、棚板の上面より上方に突出する前面板を固着した請求項１〜３のいずれかに記載の商品陳列棚。
【請求項５】
前方に開口する平面視コ字状の複数の金属線材を、上下方向に互いに離間して配設し、かつそれらの両端と中間部適所とを、上下方向を向く縦桟に固着することにより、後面と両側面とにおける各金属線材を横桟としたフレームを形成した請求項１〜４のいずれかに記載の商品陳列棚。
【請求項６】
フレームを、板体に、複数の水平方向のスリットを、上下に並べて設け、上下に隣接するスリット間の部分をもって、横桟としてなる請求項１〜４のいずれかに記載の商品陳列棚。
【発明の詳細な説明】
【技術分野】
【０００１】
本発明は、棚板を、安定よく、簡単に支持しうるようにした商品陳列棚に関する。
【背景技術】
【０００２】
従来の商品陳列棚には、後面と両側面とに、縦桟と横桟とからなる格子構造体を配設し、棚板の後端に、後面の格子構造体における任意の横桟に係合しうる下向きの係止片を設け、かつ棚板の前部両側端に、外側方に向かって突出し、両側面の格子構造体における任意の横桟上に載置される係止部材を設けることにより、棚板を、適宜の前下がり傾斜状態で、簡単に支持しうるようにしたものがある(例えば特許文献１参照)。
【特許文献１】特開２００５−１７７０１９号公報
【発明の開示】
【発明が解決しようとする課題】
【０００３】
しかし、特許文献１に記載されている商品陳列棚では、棚板の前部を、左右の係止部材より前方に突出させて、その上面に陳列物を載置すると、棚板の後部が持ち上がって、棚板上の陳列物が前方に落下するおそれがある。
【０００４】
そのため、上記の従来の商品陳列棚においては、棚板の前部を、フレームの両側面の前端より前方に突出させて、その上に陳列物を載置することはできず、陳列態様が制限されるという問題がある。
【０００５】
本発明は、従来の技術が有する上記のような問題に鑑み、棚板を、その前部に陳列物を載置しても、棚板の後部が持ち上がることがないように、安定よく、しかも簡単に支持しうるようにした商品陳列棚を提供することを目的としている。
【課題を解決するための手段】
【０００６】
本発明によると、上記課題は次のようにして解決される。
（１）後面と左右両側面とに亘って、複数の横桟を上下多段状に配設したフレームと、水平板状の棚板本体の両側端に、前記フレームの両側面における互いに等高の横桟に係止しうる下向き鉤形の係止片を有し、かつ前記棚板本体の後端に、側面視上向き鉤形をなし、前記フレームの後面におけるいずれかの横桟に係合することにより、前記棚板本体の後部の上方への移動を阻止する係合片を有する適数の棚板とを備えるものとする。
【０００７】
（２）上記(１)項において、棚板本体の前部に、フレームの両側面の前端より前方に突出する前方突出部を設ける。
【０００８】
（３）上記(２)項において、前方突出部を、中央部が前方に突出する平面視円弧状のものとする。
【０００９】
（４）上記(１)〜(３)項のいずれかにおいて、棚板本体の前端部下面に補強材を固着し、この前記補強材の前面に、棚板の上面より上方に突出する前面板を固着する。
【００１０】
（５）上記(１)〜(４)項のいずれかにおいて、前方に開口する平面視コ字状の複数の金属線材を、上下方向に互いに離間して配設し、かつそれらの両端と中間部適所とを、上下方向を向く縦桟に固着することにより、後面と両側面とにおける各金属線材を横桟としたフレームを形成する。
【００１１】
（６）上記（１）〜（４）項のいずれかにおいて、フレームを、板体に、複数の水平方向のスリットを、上下に並べて設け、上下に隣接するスリット間の部分をもって、横桟とする。
【発明の効果】
【００１２】
本発明によると、次のような効果を奏することができる。
請求項１記載の発明によると、棚板本体の後端に設けた係合片が、フレームの後面におけるいずれかの横桟に係合することにより、棚板の後部の上方への移動が阻止されるので、棚板の前部に陳列物を載置しても、棚板後部が持ち上がることはなく、棚板を、安定よく、しかも簡単に支持することができる。
したがって、棚板の前部を、フレームの両側面の前端より前方に突出させて、その上に陳列物を積み重ねて載置する、いわゆるボリューム陳列を図ることができ、陳列態様の自由度が増す。
【００１３】
請求項２記載の発明によると、棚板本体の前部に、フレームの両側面の前端より前方に突出する前方突出部を設けてあるので、この前方突出部に陳列部を載置することにより、陳列物を側方から視認することもできるようになり、陳列効果を高めることができる。
このようなことが可能になるのは、棚板における係合片が、フレームの後面におけるいずれかの横桟に係合することにより、棚板の後部の上方への移動が阻止されるからである。
【００１４】
請求項３記載の発明によると、前方突出部を、中央部が前方に突出する平面視円弧状としてあるので、棚板の陳列面積は増大され、棚板上に多くの陳列物を載置することができるとともに、美麗な外観を呈することができる。
【００１５】
請求項４記載の発明によると、棚板本体の前端部が、補強材により補強されるとともに、棚板本体の前縁と補強材の前面とが、前面板により覆われ、美麗な外観を呈することができる。
しかも、前面板における棚板の上面より上方に突出する部分が、受止柵となって、棚板上の陳列物が、前方へ落下するのを防止することができる。
【００１６】
請求項５記載の発明によると、フレームを、いわゆるワイヤフレームとしてあるので、金属線材を用いて安価に製造することができるとともに、商品陳列棚全体の軽量化を図ることができる。
【００１７】
請求項６記載の発明によると、フレームを、プレス加工もしくはモールド成形等により、簡単に製造することができる。
【発明を実施するための最良の形態】
【００１８】
以下、本発明を、スーパーマーケット等におけるレジの進入側通路の側方に配設されている商品陳列棚の側面に取り付けて、サイドスタンドとして使用しうるようにした商品陳列棚として具現した一実施形態を、図１〜図４を参照して説明する。
【００１９】
図１に示すように、この商品陳列棚は、平面視前向きコ字状をなす縦型のフレーム１と、このフレーム１内に、上下多段に架設された複数(図１には、その１個のみを示してある)の棚板２とにより構成されている。
【００２０】
フレーム１は、平面視前向コ字状の複数の金属線材３を、上下方向に互いに離間して配設し、かつそれらの両端と中間部適所とを、上下方向を向く金属線材よりなる縦桟４に固着することにより、後面１ａと両側面１ｂ、１ｂとにおける各金属線材３を横桟５としたワイヤフレームとして形成されている。
しかし、フレーム１は、後面１ａと両側面１ｂ、１ｂとに、複数の横桟４が上下多段状に配設されているものであれば、どのような構成のものでもよい。
【００２１】
棚板２は、水平板状の棚板本体６と、この棚板本体６の両側端に設けられ、かつフレーム１の両側面１ｂ、１ｂにおける互いに等高の横桟５、５に、上方より係合することにより、棚板２を安定よく、水平に支持されるようにした断面下向き鉤形の係止片７、７と、棚板本体６の後端に設けられ、かつフレーム１の後面１ａにおけるいずれかの横桟５(この例では、係止片７、７が係合している横桟５、５と等高の横桟５)に下方より係合することにより、棚板本体６の後部の浮上を阻止するようにした、側面視上向き鉤形の左右１対の係合片８、８とを有している。
【００２２】
棚板本体６の前部には、フレーム１の両側面１ｂ、１ｂの前端より前方に突出する前方突出部６ａが形成されており、この前方突出部６ａの前端面は、中央部が前方に突出する平面視円弧状とされている。
【００２３】
棚板本体６における前方突出部６ａの前端部下面には、断面後向コ字状をなし、かつ平面形が前方突出部６ａの前縁と同形の円弧状をなす補強材９が固着され、この補強材９の前面には、棚板本体６の上面より上方に突出する平面視前向円弧状の前面板１０が固着されている。
【００２４】
棚板本体５の前端両側角部には、フレーム１の両側面１ｂ、１ｂの前端に配設された縦桟４に嵌合しうるようにした、角形の切欠き１１、１１が設けられている。
【００２５】
棚板２を、フレーム１における所望の高さに架設するには、まず、棚板２を、その左右いずれか一方の側端が、他方の側端より下になるように傾斜させて、フレーム１における両側面１ｂ、１ｂの間に、前方より挿入し、次いで、図４に想像線で示すように、一方の側端の係止片７を、それに近いフレーム１の側面１ｂにおける所望の高さの横桟５に係止し、ついで、他方の側端を、前記係止片７を中心として、下向き回動させ、他側の係止片７を、それに近い側面１ｂにおける所望の高さの横桟５と、その直上の横桟５との間の空間内に挿入する。このとき、左右の係止片７、７を、一旦図４に実線で示すように、左右の等高の横桟５、５に係止させておいてもよい。
【００２６】
次いで、図３に想像線で示すように、左右の係止片７、７の前端が、所望の高さの横桟５の直上の横桟５に当接または近接するまで、棚板２の前端を、前上方に引き上げて、後下がりに傾斜させた後、後端の左右の係合片８、８を、フレーム１の後面１ａにおける、上記の左右の所望の横桟５、５と等高の横桟５の下方に潜入させつつ、棚板２の前端を、その後端を中心として、下向き回動させ、図３に実線で示すように、各係合片８を、フレーム１の後面１ａにおける所望の高さの横桟５に係合させ、かつ左右の係止片７、７を、図４に実線で示すように、左右の等高の横桟５、５に係止させる。
棚板２を、フレーム１から外すには、上記と逆の操作を行えばよい。
【００２７】
上記のようにして、フレーム１の所望の高さに架設した各棚板２は、棚板本体６の後端に設けた係合片８、８が、フレーム１の後面１ａにおけるいずれかの横桟５に係合することにより、棚板２の後部の上方への移動が阻止されるので、棚板２の前部に陳列物を載置しても、棚板２の後部が持ち上がることはなく、棚板２を、安定よく、しかも簡単に支持させることができる。
【００２８】
したがって、この実施の形態によると、棚板２の前部を、フレーム１の両側面１ｂ、１ｂの前端より大きく前方に突出させて、その上に陳列物を積み重ねて載置する、いわゆるボリューム陳列を図ることができ、陳列態様の自由度が増す。
【００２９】
本発明は、上記の実施形態のみに制限されるものではなく、特許請求の範囲を逸脱しない範囲で、変形した態様での実施が可能である。
例えば、棚板２を、前方突出部６ａを有しない、平面視ほぼ方形のものとして実施することもある。
【００３０】
また、フレームを、板状体に、多数の横方向を向くスリットを上下に並べて列設し、上下に隣接するスリット間の部分をもって、横桟とすることもある。
【図面の簡単な説明】
【００３１】
【図１】本発明の一実施形態を斜め前方より見た斜視図である。
【図２】同じく、部分拡大斜視図である。
【図３】図１のIII−III線に沿う拡大縦断側面図である。
【図４】図１のIV−IV線に沿う拡大縦断側面図である。
【符号の説明】
【００３２】
１  フレーム
１ａ後面
１ｂ側面
２  棚板
３  金属線材
４  縦桟
５  横桟
６  棚板本体
６ａ前方突出部
７  係止片
８  係合片
９  補強材
１０  前面板
１１  切欠き
【図１】
2008279158.tif 000003
【図２】
2008279158.tif 000004
【図３】
2008279158.tif 000005
【図４】
2008279158.tif 000006